(57)【要約】【課題】記録されたコンテンツデータにおける所望シーンをユーザの手動操作によって容易に検索可能にする。【解決手段】システムデコーダ（１１）は、記録された一つのコンテンツデータから、主動画像及び少なくとも一つの副動画像のそれぞれに係るビデオデータを生成する。ビデオデコーダ（１５）は、生成されたビデオデータをデコードして主動画像に係るフレーム及び少なくとも一つの副動画像に係るフレームを生成し、これらフレームを合成して１フレーム分の合成フレームを生成する。【選択図】図１
2009171248.tif 000002
【特許請求の範囲】
【請求項１】
記録された一つのコンテンツデータから、主動画像及び少なくとも一つの副動画像のそれぞれに係るビデオデータを生成するシステムデコーダと、
前記生成されたビデオデータをデコードして前記主動画像に係るフレーム及び前記少なくとも一つの副動画像に係るフレームを生成し、これらフレームを合成して１フレーム分の合成フレームを生成するビデオデコーダとを備えた
ことを特徴とする映像再生装置。
【請求項２】
請求項１に記載の映像再生装置において、
前記ビデオデコーダは、前記主動画像に係るビデオデータ及び前記少なくとも一つの副動画像に係るビデオデータのいずれについても特殊再生速度でデコードする
ことを特徴とする映像再生装置。
【請求項３】
請求項１に記載の映像再生装置において、
前記ビデオデコーダは、前記主動画像に係るビデオデータについては通常再生速度でデコードし、前記少なくとも一つの副動画像に係るビデオデータについては特殊再生速度でデコードする
ことを特徴とする映像再生装置。
【請求項４】
請求項１から３のいずれか一つに記載の映像再生装置において、
前記ビデオデコーダは、所定時間内に、前記主動画像に係るビデオデータ及び前記少なくとも一つの副動画像に係るビデオデータを順次切り替えてデコードする
ことを特徴とする映像再生装置。
【請求項５】
請求項１から３のいずれか一つに記載の映像再生装置において、
前記ビデオデコーダは、当該映像再生装置を操作するためのヒューマンインタフェースのボタンが押下されている間、前記少なくとも一つの副動画像に係るビデオデータをデコードする
ことを特徴とする映像再生装置。
【請求項６】
請求項２及び３のいずれか一つに記載の映像再生装置において、
前記ビデオデコーダは、当該映像再生装置を操作するためのヒューマンインタフェースのジョグダイヤルの回転量に応じて、前記特殊再生速度を変更する
ことを特徴とする映像再生装置。
【請求項７】
請求項１から３のいずれか一つに記載の映像再生装置において、
前記ビデオデコーダによって生成された主動画像に係るフレームを前記合成フレームとは別に出力する
ことを特徴とする映像再生装置。
【請求項８】
請求項１から３のいずれか一つに記載の映像再生装置において、
前記コンテンツデータに係る映像以外の追加情報を生成するマイクロコンピュータと、
前記ビデオデコーダによって生成された合成フレームに、前記マイクロコンピュータによって生成された追加情報を重畳させる映像合成処理部とを備えた
ことを特徴とする映像再生装置。
【請求項９】
記録された一つのコンテンツデータから、主動画像及び少なくとも一つの副動画像のそれぞれに係るビデオデータを生成する第１のステップと、
前記第１のステップで生成されたビデオデータをデコードして前記主動画像に係るフレーム及び前記少なくとも一つの副動画像に係るフレームを生成する第２のステップと、
前記第２のステップで生成されたフレームを合成して１フレーム分の合成フレームを生成する第３のステップとを備えた
ことを特徴とする映像再生方法。
【請求項１０】
請求項９に記載の映像再生方法において、
前記第２のステップでは、前記主動画像に係るビデオデータ及び前記少なくとも一つの副動画像に係るビデオデータのいずれについても特殊再生速度でデコードされる
ことを特徴とする映像再生方法。
【請求項１１】
請求項９に記載の映像再生方法において、
前記第２のステップでは、前記主動画像に係るビデオデータについては通常再生速度でデコードされ、前記少なくとも一つの副動画像に係るビデオデータについては特殊再生速度でデコードされる
ことを特徴とする映像再生方法。
【発明の詳細な説明】
【技術分野】
【０００１】
本発明は、映像再生装置及び方法に関し、特に、記録されたビデオデータを特殊再生する技術に関する。
【背景技術】
【０００２】
近年、ハードディスク装置を搭載したＤＶＤ（Digital Versatile Disc）ビデオレコーダやＢＤ（Blu-ray Disc）ビデオレコーダなどが普及している。これらデコーダは、放送番組を大量に録り貯めることができるとともに、大量の録画物の中から任意のコンテンツの任意のシーンを素早く再生することができる。この特性を活かして、従来、ビデオ映像の表示画面上に各シーンの代表縮小画像を表示しておき、ユーザが画面上で縮小画像を選択すると当該縮小画像を段階的に拡大しながら表示することで、没入感を損なわないような映像アクセスを実現している（例えば、特許文献１参照）。
【特許文献１】特開２００６−２７９９６８号公報
【発明の開示】
【発明が解決しようとする課題】
【０００３】
記録された放送番組を再生する場合、早送り再生や巻き戻し再生などの特殊再生をすることで見たくないＣＭ部分を飛ばして番組本編の頭出しをすることができる。しかし、番組本編の頭出しは、リモコン装置のボタンやジョグダイヤルを押したり回したりするなどのユーザの手動操作で行われるため、ＣＭ後の番組本編の冒頭部分を正確に頭出しすることは困難である。早送り操作を解除するタイミングが遅れて番組本編の冒頭部分を行き過ぎてしまい、巻き戻し操作をして再生位置を本編冒頭に合わせるのがおおかたである。このように、これまでの映像再生装置では、ユーザの手動操作により所望の映像シーンを正確に頭出しすることが困難である。
【０００４】
上記の従来技術によってＣＭ後の番組本編冒頭の縮小画像を表示することができれば正確な頭出しが可能となる。しかし、デジタル放送ではＣＭ部分と番組本編との境界を正確に検出することが困難であるため、選択した縮小画像が正しく番組本編冒頭を指していない場合、やはり巻き戻し操作によって再生位置を修正しなければならない。
【０００５】
頭出しの対象はＣＭ後の番組本編冒頭に限られない。すなわち、ＣＭを含まないコンテンツについても、ユーザがその中の特定のシーンを見たいと欲することがある。しかし、ユーザが見たいと思うシーンのすべてについて縮小画像を作成しておくことは事実上不可能である。すなわち、特殊再生による再生位置の探索を完全に自動化することは困難である。
【０００６】
上記問題に鑑み、本発明は、記録されたコンテンツデータにおける所望シーンをユーザの手動操作によって容易に検索可能にすることを課題とする。
【課題を解決するための手段】
【０００７】
上記課題を解決するために本発明が講じた手段は、映像再生装置として、記録された一つのコンテンツデータから、主動画像及び少なくとも一つの副動画像のそれぞれに係るビデオデータを生成するシステムデコーダと、生成されたビデオデータをデコードして主動画像に係るフレーム及び少なくとも一つの副動画像に係るフレームを生成し、これらフレームを合成して１フレーム分の合成フレームを生成するビデオデコーダとを備えたものとする。また、映像再生方法として、記録された一つのコンテンツデータから、主動画像及び少なくとも一つの副動画像のそれぞれに係るビデオデータを生成する第１のステップと、第１のステップで生成されたビデオデータをデコードして主動画像に係るフレーム及び少なくとも一つの副動画像に係るフレームを生成する第２のステップと、第２のステップで生成されたフレームを合成して１フレーム分の合成フレームを生成する第３のステップとを備えたものとする。これによると、一つのコンテンツデータについて複数のシーンの動画像をユーザに提示することができるため、ユーザの手動操作による所望シーンの検索が容易になる。
【０００８】
具体的には、ビデオデコーダは、主動画像に係るビデオデータ及び少なくとも一つの副動画像に係るビデオデータのいずれについても特殊再生速度でデコードする。あるいは、ビデオデコーダは、主動画像に係るビデオデータについては通常再生速度でデコードし、少なくとも一つの副動画像に係るビデオデータについては特殊再生速度でデコードする。映像再生方法における第２のステップについてもこれと同様である。
【０００９】
好ましくは、ビデオデコーダは、所定時間内に、主動画像に係るビデオデータ及び前記少なくとも一つの副動画像に係るビデオデータを順次切り替えてデコードするものとする。これによると、一つのビデオデコーダで複数の動画像を生成することができる。
【００１０】
ビデオデコーダは、当該映像再生装置を操作するためのヒューマンインタフェースのボタンが押下されている間、少なくとも一つの副動画像に係るビデオデータをデコードしてもよいし、当該映像再生装置を操作するためのヒューマンインタフェースのジョグダイヤルの回転量に応じて、特殊再生速度を変更してもよい。
【発明の効果】
【００１１】
本発明によると、ハードディスクや光ディスクなどの記録媒体に記録されたコンテンツデータにおける所望シーンをユーザの手動操作によって容易に検索することができる。
【発明を実施するための最良の形態】
【００１２】
以下、本発明を実施するための最良の形態について、図面を参照しながら説明する。
【００１３】
（第１の実施形態）
図１は、第１の実施形態に係る映像再生装置の構成を示す。記録装置１０は、放送番組などのコンテンツデータを記録している。記録装置１０は、例えば、ハードディスク装置や光ディスク装置などである。
【００１４】
システムデコーダ１１は、記録装置１０からコンテンツデータを読み出してビデオデータやオーディオデータなどを生成する。特にビデオデータについては、システムデコーダ１１は、現在再生中のシーンである主動画像に係るものと、少なくとも一つの副動画像に係るもの（例えば、現在から数秒先あるいは数秒前のシーン）を生成する。そして、生成したビデオデータ及びオーディオデータをバッファメモリ１２に転送する。また、システムデコーダ１１は、読み出したコンテンツデータからビデオデータの再生開始時間（ＰＴＳ）やデコード開始時間（ＤＴＳ）といった管理情報を抽出する。
【００１５】
マイクロコンピュータ１３は、システムデコーダ１１が抽出した管理情報などに基づいてＯＳＤ（On Screen Display）表示用データなどの追加情報を生成する。そして、生成した追加情報をＶＲＡＭ領域１４に転送する。また、マイクロコンピュータ１３は、図示しない各ＬＳＩブロックの制御を行う。
【００１６】
ビデオデコーダ１５は、バッファメモリ１２からビデオデータを読み出してデコードする。そして、生成したフレームをフレームメモリ１６に転送する。特に、ビデオデコーダ１５は、主動画像に係るフレーム及び少なくとも一つの副動画像に係るフレームをフレームメモリ１６上で重畳させて１フレーム分の合成フレームを生成する。
【００１７】
映像合成処理部１７は、フレームメモリ１６からフレームを読み出し、また、ＶＲＡＭ領域１４から追加情報を読み出し、これらを重畳させて表示用フレームを生成する。なお、システムデコーダ１１、マイクロコンピュータ１３、ビデオデコーダ１５及び映像合成処理部１７は、システムＬＳＩ２０として１チップで構成可能である。
【００１８】
Ｄ／Ａ変換処理部１８は、映像合成処理部１７によって生成されたデジタルデータをアナログ信号に変換する。変換されたアナログ信号は、表示出力部１９を介して、図示しない外部ディスプレイなどに供給される。
【００１９】
ユーザはヒューマンインタフェース３０を通じて映像再生装置を操作することができる。ヒューマンインタフェース３０は、例えば、映像再生装置の操作パネルやリモコン装置などである。ヒューマンインタフェース３０からの各種指示はマイクロコンピュータ１３に伝達される。マイクロコンピュータ１３は、ヒューマンインタフェース３０のボタン３１やジョグダイヤル３２などの操作に応じてシステムデコーダ１１及びビデオデコーダ１５を適宜制御してビデオデータを特殊再生する。ボタン３１が押下されている間、特殊再生を実行するようにしてもよい。また、ジョグダイヤル３２の回転量に応じて特殊再生速度を変更してもよい。なお、ボタン３１及びジョグダイヤル３２はハードウェアに限られず、例えば、タッチパネルなどの画面上に表示したアイコンであってもよい。
【００２０】
次に、本実施形態に係る映像再生装置の動作について説明する。図２は、早送り再生時の画面表示例を示す。早送り再生時には、表示領域１００には主動画像がｎ倍速で、表示領域１０１、１０２、１０３、１０４、及び１０５には５つの副動画像がｎ倍速で、それぞれ早送り再生される。表示領域１０１〜１０５に表示されているシーンは、それぞれ、現在再生中のビデオコンテンツのタイムスタンプで現在から１×ｎ、２×ｎ、３×ｎ、４×ｎ、及び５×ｎ秒後のシーンである。表示領域１０５に表示されているシーンは、実時間で１秒後には表示領域１０４に表示され、２秒後には表示領域１０３に表示され、５秒後には表示領域１００に表示される。すなわち、表示領域１０１〜１０５に表示される副動画像は、それぞれ、実時間で１、２、３、４、及び５秒後に表示領域１００に主動画像として表示されることとなる動画像である。
【００２１】
いま、表示領域１００〜１０２にはＣＭが表示されており、表示領域１０３〜１０５には番組本編が表示されている。したがって、番組本編の頭出しをする場合、いまから３秒後に早送り再生を解除すればよいことが画面表示から容易に把握することができる。
【００２２】
主動画像及び５つの副動画像の生成手順について図３のフローチャートを参照しながら説明する。まず、システムデコーダ１１は、記録装置１０からデータを先読みして各動画像に係るビデオデータを生成し、当該生成したビデオデータをバッファメモリ１２における６つの異なる記憶領域にそれぞれ転送する（Ｓ１）。生成したビデオデータがいずれの動画像に係るものであるかは、そのビデオデータのＰＴＳ情報から知ることができる。主動画像のデコードがまだ済んでいない場合には（Ｓ２のＮＯ肢）、ビデオデコーダ１５は、バッファメモリ１２における主動画像のビデオデータを格納する領域からビデオデータを読み出し（Ｓ３）、済んでいる場合には（Ｓ２のＹＥＳ肢）、バッファメモリ１２における副動画像のビデオデータを格納する領域からビデオデータを読み出す（Ｓ４）。そして、ビデオデコーダ１５は、読み出したデータをデコードし（Ｓ５）、生成したフレームをフレームメモリ１６上で重畳させて合成フレームを生成する（Ｓ６）。上記のステップＳ２からＳ６を５×ｎ秒後のビデオデータのデコードが終わるまで繰り返す。
【００２３】
ここで、合成フレームを正しく表示するためには所定時間内に合成フレームを生成する必要がある。例えば、ＭＰＥＧ−２の場合、１秒間に３０フレームの表示をすることから、１／３０秒以内に合成フレームを生成しなければならない。
【００２４】
以上、本実施形態によると、コンテンツデータを早送り再生する際に副動画像として数秒先までの動画像が表示されるため、ユーザの手動操作による所望シーンの検索が容易になる。なお、頭出しの対象は番組本編の冒頭部分に限られず、任意のシーンが対象となり得る。また、副動画像の数は５つに限られない。
【００２５】
また、特殊再生は巻き戻し再生であってもよい。図４は、巻き戻し再生時の画面表示例を示す。巻き戻し再生時には、表示領域１００には主動画像がｎ倍速で、表示領域１０６、１０７、１０８、１０９、及び１１０には５つの副動画像がｎ倍速で、それぞれ巻き戻し再生される。表示領域１０６〜１１０に表示されているシーンは、それぞれ、現在再生中のビデオコンテンツのタイムスタンプで現在から１×ｎ、２×ｎ、３×ｎ、４×ｎ、及び５×ｎ秒前のシーンである。さらに、図５に示したように、主動画像を中心としてそれよりも未来の副動画像及び過去の副動画像を表示するようにしてもよい。
【００２６】
また、主動画像については通常再生をして、副動画像については特殊再生をするようにしてもよい。副動画像は画面左あるいは右に表示されるようにしてもよい。
【００２７】
（第２の実施形態）
図６は、第２の実施形態に係る映像再生装置の構成を示す。本実施形態に係る映像再生装置は、第１の実施形態に係る映像再生装置に、主動画像のフレームを独立して表示出力するためのＤ／Ａ変換処理部２１及び表示出力部２２を追加したものである。本実施形態によると、主動画像が別系統で表示出力されるため、特殊再生時に再生イメージを変えることなく主動画像を表示することができる。
【産業上の利用可能性】
【００２８】
本発明に係る映像再生装置は、ユーザの手動操作による所望シーンの検索を容易にするため、デジタル放送の記録及び再生が可能な光ディスク記録再生装置などとして有用である。
【図面の簡単な説明】
【００２９】
【図１】第１の実施形態に係る映像再生装置の構成図である。
【図２】早送り再生時の画面表示例である。
【図３】早送り再生時の主動画像及び副動画像生成のフローチャートである。
【図４】巻き戻し再生時の画面表示例である。
【図５】主動画像並びに未来及び過去の副動画像を表示した画面表示例である。
【図６】第２の実施形態に係る映像再生装置の構成図である。
【符号の説明】
【００３０】
１１  システムデコーダ
１３  マイクロコンピュータ
１５  ビデオデコーダ
１７  映像合成処理部
３０  ヒューマンインタフェース
３１  ボタン
３２  ジョグダイヤル
【図１】
2009171248.tif 000003
【図２】
2009171248.tif 000004
【図３】
2009171248.tif 000005
【図４】
2009171248.tif 000006
【図５】
2009171248.tif 000007
【図６】
2009171248.tif 000008